(57)【要約】【課題】文字情報通信（メール）の着信時に、その内容（緊急度）や発信者によりユーザ（着信者）に異なる着信通知をすることにより、適切な対応を可能にする携帯端末装置およびその着信通知方法を提供する。【解決手段】着信があると、文字情報通信（メール）であるか否かを判断し、文字情報通信の場合には制御部１０３でその題名又は本文中のキーワード検索および発信者情報を取得して緊急度を判断し、これらキーワードおよび発信者情報に基づいて、記憶部１１２に予め設定された着信音設定および／又はバイブレータ動作設定にてユーザに着信通知する。優先順位の高い着信には、マナーモード中であっても強制的に着信音鳴動を可能にする。【選択図】図４
2008217731.tif 000002
【特許請求の範囲】
【請求項１】
無線基地局を介して音声信号やメールのデータを送受信し、着信時には鳴動やバイブレータの振動により着信通知する携帯端末装置において、
メールや文字メッセージ付き音声通話を含む文字情報通信を着信する場合に、該文字情報通信に含まれている特定のキーワードおよび発信者情報を取得する情報取得手段と、
該情報取得手段で取得した情報および予め設定登録した情報に基づき、前記鳴動又はバイブレータにより予め決められた設定で着信通知する着信通知手段と
を備えることを特徴とする携帯端末装置。
【請求項２】
前記キーワードには、予め決められた複数の優先順位が設定されることを特徴とする請求項１に記載の携帯端末装置。
【請求項３】
前記着信通知手段による着信通知は、前記キーワードの優先順位および前記発信者の組み合わせにより予め決められた設定により行うことを特徴とする請求項１に記載の携帯端末装置。
【請求項４】
前記着信通知手段による着信通知は、前記キーワードの優先順位および前記発信者に基づき時間的に切り替えて連続して行うことを特徴とする請求項１又は２に記載の携帯端末装置。
【請求項５】
前記着信通知手段は、マナーモードに設定時でも前記キーワードの優先順位が高い場合には、強制的に通知する強制着信音鳴動させることを特徴とする請求項１乃至４の何れかに記載の携帯端末装置。
【請求項６】
無線基地局を介して音声やメールのデータを送受信する携帯端末装置の着信時に鳴動又はバイブレータによりユーザに着信通知する着信通知方法において、
前記着信がメールや文字メッセージ付き音声通話を含む文字情報通信であるか否かを判断するステップと、
前記文字情報通信の着信時に該文字情報通信の発信者情報および前記文字情報通信に含まれる特定のキーワード情報を取得するステップと、
前記取得した発信者およびキーワード情報に基づき予め設定した異なる着信通知を行うステップと
を備えることを特徴とする携帯端末装置の着信通知方法。
【請求項７】
前記キーワードは、予め異なる複数の優先順位を設定するステップを備えることを特徴とする請求項６に記載の携帯端末装置の着信通知方法。
【請求項８】
前記発信者は、予め決められた優先順位に応じて複数のグループに分けるステップを備えることを特徴とする請求項６に記載の携帯端末装置の着信通知方法。
【請求項９】
前記着信通知ステップは、前記キーワードの優先順位に基づき決められた設定および前記発信者に基づき決められた設定を時間的に連続して通知することを特徴とする請求項６、7又は８に記載の携帯端末装置の着信通知方法。
【請求項１０】
前記着信通知は、マナーモードに設定時でも前記優先順位が高い着信の場合には強制的に着信音鳴動させて通知するステップを備えることを特徴とする請求項６乃至９の何れかに記載の携帯端末装置の着信通知方法。
【発明の詳細な説明】
【技術分野】
【０００１】
本発明は携帯端末装置およびその着信通知方法に関し、特にメール着信をその優先順位又は緊急度等に応じてユーザに通知可能にする携帯端末装置およびその着信通知方法に関する。
【背景技術】
【０００２】
携帯電話端末を含む携帯端末装置は、実質的に何時でもまた何処でも送受信することにより必要な情報が得られるという固定電話端末等に対して多くの利点を有する。それ故に、携帯端末装置は、音声、文字および映像等の通信手段として急速に普及している。そして、携帯端末装置のユーザへの利便性を改善し、他の製品やサービスに対する市場における優位性をアピールするための設計・開発が絶えず行われている。
【０００３】
斯かる技術分野における従来技術は、多くの文献等に開示されている。ユーザが文字メッセージを読まなくても、その文字メッセージがどのような内容のものであるかの概要を受信者に認識させることが可能な通信端末装置が開示されている（例えば、特許文献１参照。）。また、着信内容の緊急性や重要性を的確にユーザが把握可能にするために、予め記憶された電話番号からの着信があった場合に、通常と異なる音声又は振動により報知制御を行う電話端末および着信報知方法が開示されている（例えば、特許文献２参照。）。
【０００４】
更に、着信メールの差出人およびメール中のキーワードを音声合成で読み上げることにより、恰も通常の音声着信と同様に着信メールの内容を確認可能にする通信端末装置および通信端末処理プログラムが開示されている（例えば、特許文献３参照。）。
【０００５】
【特許文献１】特開２００１−１７７６６８号公報（第３−５頁、第１図）
【特許文献２】特開２００４−３２０４５６号公報（第４−５頁、第１図）
【特許文献３】特開２００５−３１８４６７号公報（第７−８頁、第１図）
【発明の開示】
【発明が解決しようとする課題】
【０００６】
しかし、上述の如き従来技術は、幾つかの解決するべき課題を有する。即ち、いたずらや間違いの着信を識別不能であるので、斯かる着信の応答に時間を浪費し、着信に対して適切且つ効率的な応答が困難である。また、着信の内容（緊急度）や発信者に応じて又はこれらの組み合わせに応じて適切な着信通知ができなかった。
【０００７】
本発明は、従来技術の上述した課題に鑑みなされたものであり、文字メッセージ付き音声通信、ＴＶ通話やメール（それらを総称して文字情報通信又は単にメールという）着信時に、そのメール内容又は発信者の優先順位に基づいて異なる着信通知を行うことにより、上述した課題を解消又は軽減可能な携帯端末装置およびその着信通知方法を提供することを目的とする。
【課題を解決するための手段】
【０００８】
本発明の携帯端末装置およびその着信通知方法によると、次の如き特徴的な構成を採用している。
【０００９】
（１）無線基地局を介して音声信号やメールのデータを送受信し、着信時には鳴動やバイブレータの振動により着信通知する携帯端末装置において、
メールや文字メッセージ付き音声通話を含む文字情報通信を着信する場合に、該文字情報通信に含まれている特定のキーワードおよび発信者情報を取得する情報取得手段と、
該情報取得手段で取得した情報および予め設定登録した情報に基づき、前記鳴動又はバイブレータにより予め決められた設定で着信通知する着信通知手段と
を備える携帯端末装置。
（２）前記キーワードには、予め決められた複数の優先順位が設定される上記（１）の携帯端末装置。
（３）前記着信通知手段による着信通知は、前記キーワードの優先順位および前記発信者の組み合わせにより予め決められた設定により行う上記（１）の携帯端末装置。
（４）前記着信通知手段による着信通知は、前記キーワードの優先順位および前記発信者に基づき時間的に切り替えて連続して行う上記（１）又は（２）の携帯端末装置。
（５）前記着信通知手段は、マナーモードに設定時でも前記キーワードの優先順位が高い場合には、強制的に通史する強制着信音鳴動させる上記（１）乃至（４）の何れかの携帯端末装置。
（６）無線基地局を介して音声やメールのデータを送受信する携帯端末装置の着信時に鳴動又はバイブレータによりユーザに着信通知する着信通知方法において、
前記着信がメールや文字メッセージ付き音声通話を含む文字情報通信であるか否かを判断するステップと、
前記文字情報通信の着信時に該文字情報通信の発信者情報および前記文字情報通信に含まれる特定のキーワード情報を取得するステップと、
前記取得した発信者およびキーワード情報に基づき予め設定した異なる着信通知を行うステップと
を備える携帯端末装置の着信通知方法。
（７）前記キーワードは、予め異なる複数の優先順位を設定するステップを備える上記（６）の携帯端末装置の着信通知方法。
（８）前記発信者は、予め決められた優先順位に応じて複数のグループに分けるステップを備える上記（６）の携帯端末装置の着信通知方法。
（９）前記着信通知ステップは、前記キーワードの優先順位に基づき決められた設定および前記発信者に基づき決められた設定を時間的に連続して通知する上記（６）、（７）又は（８）の携帯端末装置の着信通知方法。
（１０）前記着信通知は、マナーモードに設定時でも前記優先順位が高い着信の場合には強制的に着信音鳴動させて通知するステップを備える上記（６）乃至（９）の何れかの携帯端末装置の着信通知方法。
【発明の効果】
【００１０】
本発明の携帯端末装置およびその着信通知方法によると、次の如き実用上の特有の効果を奏する。即ち、メール又は文字情報通信の着信時に、文字情報通信中の文字メッセージの解析（キーワード検索）および発信者識別により、何れの発信者からどのような内容の用件の着信であるかを、着信に応答する前に予備知識として得られるので、適切且つ効率的な応答が可能である。また、発信者又は発信者グループ（例えば、仕事関係者、友人、家族等）を識別可能であるので、いたずらや間違いの着信に対して適切な応答が可能である。更に、内容（キーワード）および発信者の組み合わせ或いは内容の優先度通知に続き発信者（又は発信者グループ）の優先度通知を連続して行うことにより、着信に一層適切に応答することが可能である。加えて、マナーモードに設定していても、特に緊急度の高い着信に対しては、強制的に着信音を鳴動させて、適切に対応することが可能である。
【発明を実施するための最良の形態】
【００１１】
以下、本発明による携帯端末装置およびその着信通知方法の好適な実施の形態の構成および動作を、添付図面を参照して詳述する。
【００１２】
先ず、図１は、本発明による携帯端末装置の好適実施の形態である携帯電話端末の構成を示す機能ブロック図である。この携帯電話端末１００は、アンテナ（ＡＮＴ）１０１、送受信部（ＴＲＸ）１０２、制御部１０３、操作部１０４、マイク１０５、レシーバ１０６、スピーカ１０７、Ｈ／Ｓジャック１０８、ＬＥＤ（表示器）１０９、振動量調整部１１０、バイブレータ１１１、記憶部（メモリ）１１２および表示部１１３により構成される。
【００１３】
次に、携帯電話端末１００の各構成要素の主要機能を説明する。アンテナ１０１は、無線によりサービスエリア内の無線基地局（図示せず）と無線により信号の送受信を行う。ＴＲＸ１０２は、アンテナ１０１を介して無線基地局との間で送受信する信号の増幅や変復調等の処理を行う。
【００１４】
制御部１０３は、例えばＣＰＵ（中央処理装置）により構成され、携帯電話端末１００のシステム全体を制御する。そして、制御部１０３は、時間や時刻を管理するタイマ１１４を含んでいる。操作部１０４は、携帯電話端末１００のユーザ（使用者）が送信、着信その他の処理を行うためのキー（ＫＥＹ）等である。マイク１０５は、音声通話（又は送話）用、即ち通話相手に自分の音声を送信するため音声を電気信号に変換する。レシーバ１０６、音声通話（又は受話）用であり、相手から送信されて来る音声信号を音響信号に変換する。スピーカ１０７は、相手からの着信を携帯電話端末１００のユーザに通知又は報知する。Ｈ／Ｓジャック１０８は、携帯電話端末１００を他のデジタル機器等に接続するコネクタである。ＬＥＤ１０９は、点滅して着信等を携帯電話端末１００のユーザに放置する。振動量調整部１１０は、マナーモードに設定されているとき、着信時に携帯電話端末１００のユーザにバイブレータ１１１を振動させて放置する際の振動量や振動パターンを調整する。
【００１５】
記憶部１１２は、例えば文字メッセージ付き音声通話、テレビジョン（ＴＶ）通話およびメール等（即ち、文字情報通信）の着信時に、ユーザが特に関心あるキーワード、通知動作方法、バイブレータ１１１の特定の振動パターン等を保存し管理する。表示部１１３は、携帯電話端末１００とそのユーザとのインタフェースであり、各種の情報を表示する、例えばカラー液晶表示パネルである。
【００１６】
尚、図１に基づいて携帯電話端末１００の構成および各部の機能を上述したが、図１の携帯電話端末１００の構成と文字メッセージ付音声通話、ＴＶ通話およびメール等の着信の通常動作の概要については、当業者に周知であり、また本発明とは直接関係しないので、その詳細説明は省略する。  
【００１７】
次に、図１に示す携帯電話端末１００の音声通話、ＴＶ通話又はメール等の着信時の用件通知機能に関する動作を、図２を参照して説明する。図２は、図１に示す携帯電話端末１００の動作を示すフローチャートである。
【００１８】
図１に示す携帯電話端末１００おいて、着信動作を開始する（ステップＡ１）。先ず、携帯情報端末１００のユーザ（以下、単に「ユーザ」という）に他人（以下、「発信者」という）から着信があったとする（ステップＡ２）。次に、この着信の内容が音声通話かＴＶ通話か又はメールかを制御部１０３で識別する（ステップＡ３）。メールの場合には、メール着信動作を行う（ステップＡ１０）。
【００１９】
上述したステップＡ３において音声通話又はＴＶ通話と識別された場合には、文字メッセージ付きの着信であるか否かを識別する（ステップＡ４）。文字メッセージ付きの着信であると識別された場合（ステップＡ４：Ｙｅｓ）には、キーワードによる着信動作の設定が行われているか否かの確認を行う（ステップＡ５）。文字メッセージのない着信の場合（ステップＡ４：Ｎｏ）には、通常の着信動作を行う（ステップＡ９）。
【００２０】
キーワードによる着信動作の設定が行われている場合（ステップＡ５：Ｙｅｓ）には、文字メッセージからキーワード検索を行う（ステップＡ６）。他方、キーワードによる着信動作の設定がされていない場合（ステップＡ５：Ｎｏ）には、上述した通常の着信動作を行う（ステップＡ９）。
【００２１】
次に、文字メッセージ中にキーワードがある場合（ステップＡ６：Ｙｅｓ）には、発信者（電話番号）が登録されているか否かの確認を行う（ステップＡ７）。キーワードがない場合（ステップＡ６：Ｎｏ）および発信者が登録されていない場合（ステップＡ７：Ｎｏ）には、上述した通常の着信動作を行う（ステップＡ９）。
【００２２】
他方、発信者が登録されている場合（ステップＡ７：Ｙｅｓ）には、記憶部１１２で設定されている用件通知着信動作が可能になり、指定されたキーワードの動作を実施する。即ち、着信鳴動又は振動量調整部１１０で設定されたバイブレータ１１１によるバイブレータ振動或いはこれらの両方を行い、ユーザに着信を報知する（ステップＡ８）。
【００２３】
次に、図３を参照して図２のステップＡ１０で言及した「メール着信動作」について詳細に説明する。図３は、メール着信動作の詳細を示すフローチャートである。
【００２４】
先ず、メール着信か否かを確認する（ステップＢ１）。メール着信の場合（ステップＢ１：Ｙｅｓ）には、キーワードによる着信設定が行われているか否か確認する（ステップＢ２）。キーワードによる着信設定がなされている場合（ステップＢ２：Ｙｅｓ）には、題名又は件名（タイトル）からキーワード検索を行い、題名にキーワードが含まれているか否か確認する（ステップＢ３）。キーワードによる着信動作の設定がなされていない場合（ステップＢ２：Ｎｏ）には、通常のメール着信動作を行う（ステップＢ７）。
【００２５】
次に、題名にキーワードが含まれている場合（ステップＢ３：Ｙｅｓ）には、発信者（例えば、発信者のメールアドレス等）が登録されているか否かを確認する（ステップＢ５）。題名にキーワードが含まれていない場合（ステップＢ３：Ｎｏ）には、本文にキーワードが含まれているか否かを検索して確認する（ステップＢ４）。
【００２６】
本文にキーワードが含まれている場合（ステップＢ４：Ｙｅｓ）には、上述したステップＢ５へ進み、発信者が登録されているか否か確認する。他方、本文にキーワードが含まれていない場合（ステップＢ４：Ｎｏ）には、上述した通常のメール着信動作を行う（ステップＢ７）。
【００２７】
発信者が登録されていない場合（ステップＢ５：Ｎｏ）には、上述した通常のメール着信動作を行う（ステップＢ７）。他方、発信者が登録されている場合（ステップＢ５：Ｙｅｓ）には、記憶部１１２で設定されている用件通知着信動作を実施する（ステップＢ６）。
【００２８】
次に、図４は、キーワードが設定されている場合の着信動作設定の具体例を示す説明図である。図４に示す具体例では、優先順位４１、キーワード４２、発信者（又は電話番号）４３、着信音設定４４、バイブレータ動作設定４５および強制着信音鳴動フラグ設定４６が含まれている。キーワード４２は、第１乃至第３の優先順位４１に従って検索される。図４に示す具体例では、「至急、緊急」のキーワード４２に優先順位４１を第１としている。「連絡、通知」のキーワード４２に優先順位４１を第２としている。また、「依頼、お願い」のキーワード４２に優先順位４１を第３としている。発信者又は電話番号４３は、ユーザにより発信者を重要度等に応じて予め複数にグループ（例えば、得意先、家族、友人等）分けされる。尚、強制着信音鳴動とは、マナーモード等の着信音を鳴動させない設定した場合であっても、この設定を無視して強制的に着信音を鳴動させるための機能である。
【００２９】
また、着信音設定４４は、優先順位４１が第１、第２および第３のとき、それぞれメロディ１、メロディ２およびメロディ３が設定されている。同様に、バイブレータ動作設定４５は、優先順位４１が第１、第２および第３のとき、それぞれパターン１、パターン２およびパターン３が設定されている。強制着信音鳴動フラグ設定４６は、優先順位４１が第１のとき、ＯＮであり、優先順位４１が第２および第３のときはＯＦＦである。
【００３０】
上述の如く、図４に示す具体例では、強制着信音鳴動フラグ設定を設け、マナーモード設定時でも優先順位４１が第１である緊急度の高い用件の着信の場合には、ユーザが必ず出る（即ち、着信に応答する）ようにしている。即ち、マナーモード強制解除モードのフラグ設定項目４６を追加し、フラグ結果によりマナーモードの強制解除を可能にしている。
【００３１】
次に、図５〜図８を参照して、本発明による携帯端末装置およびその着信通知方法の他の実施の形態について説明する。他の実施の形態であっても、図１に示す機能ブロックと実質的に同様の構成であるが、図２を参照して上述したステップＡ８や図３のステップＢ６での着信鳴動動作について変形・変更がなされている。
【００３２】
先ず、図５を参照して説明する。図５は、発信者別に異なる着信音を設定する具体例の説明図である。図４に示す具体例では、キーワード４２と発信者（又は電話番号）４３の組み合わせで１つの着信音（メロディ）を設定していたが、発信者（又は電話番号）５１に応じて着信音設定５２を個別に行うことにより、誰からの着信であるかをユーザが迅速且つ簡単に判断可能にしている。即ち、図５に示す具体例では、発信者がＢ、Ｃ又はＤであるとき、着信音をそれぞれメロディ１１、メロディ１２又はメロディ１３を設定している。
【００３３】
上述の具体例において、制御部１０３内に設けられたタイマ１１４により時間を管理し、着信時から最初の数秒間は用件の優先順位（緊急度）に応じた着信音とし、それに続く数秒間を発信者毎の着信音に切り替えてもよい。斯かる着信音設定により、ユーザは着信時の用件（緊急度）と発信者を知ることが可能である。従って、着信に応答する際に、ユーザは適切な対応が可能になる。
【００３４】
図４〜図６を参照して具体的に説明する。発信者Ｂからの着信があると、ユーザの携帯電話端末１００は、最初の数秒間はメロディ１で第１の優先順位である緊急の用件であることを知り、その後のメロディ１１により発信者がＢであることを知ることが可能である。これにより、ユーザは着信時の用件と発信者の双方を知ることが可能である。
【００３５】
図６は、上述した着信音切替動作を説明するフローチャートである。先ず、図４に示す用件による着信音、例えばメロディ１を鳴動する（ステップＣ１）。次に、この鳴動音の鳴動開始からの時間経過を監視するためにタイマ１１４を起動（Ｔ＝０）する（ステップＣ２）。そして、タイマ１１４をカウントアップ（Ｔ＝Ｔ＋１）する（ステップＣ３）。次に、タイマ１１４の計時結果が予め設定された所定時間、例えばＴｓ＝５秒を経過したか否か判断する（ステップＣ４）。所定時間Ｔｓが経過しない場合（ステップＣ４：Ｎｏ）には、ステップＣ３へ戻りカウントアップを継続する。他方、所定時間Ｔｓが経過した場合（ステップＣ４：Ｙｅｓ）には、電話番号毎に設定した着信音（例えば、メロディ１１）に切り替えて鳴動させる（ステップＣ５）。
【００３６】
次に、図４を参照して上述したバイブレータ１１１の動作パターン１〜パターン３について、図７の具体例を参照して説明する。図７（Ａ）、（Ｂ）および（Ｃ）は、それぞれバイブレータ１１１を振動させるパターン１〜パターン３の駆動信号の波形図である。図７に示す具体例において、第１の優先順位である緊急時のパターン１では、図７（Ａ）に示す如くバイブレータ１１１の振動が時間経過と共に大きくなる。パターン２では、図７（Ｂ）に示す如く第２の優先順位である通知時におけるバイブレータ１１１の振動が強弱を繰り返す。パターン３では、第３の優先順位である依頼時の振動パターンであり、図７（Ｃ）に示す如く、バイブレータ１１１の振動は時間と共に弱くなる。尚、これらのパターン１〜パターン３を任意に組み合わせることにより、必要に応じて多くのパターンが得られる。
【００３７】
次に、図８は、キーワードと着信動作の更に他の実施の形態を示す具体例である。図８に示す実施の形態の具体例では、優先順位８１を第１乃至第４の４つの優先順位とする。キーワード８２は、優先順位８１が第１乃至第３については上述した図４の場合と同様であるが、第４の優先順位８１として「返信」を追加している。発信者（又は電話番号）８３は、図４と同様である。着信音設定８４として、鳴動速度を設定している。この具体例では、第１の優先順位に対し１．５倍速鳴動、第２の優先順位に対して徐々に高速になる鳴動、第３の優先順位に対して高速鳴動と低速鳴動の繰り返し、第４の優先順位に対して徐々に低速になる鳴動が割り当てられている。強制着信音鳴動フラグ設定８５は、上述した図４の場合と同様に、第１の優先順位の着信のみにＯＮであり、他の場合はＯＦＦである。
【００３８】
以上、本発明による携帯端末装置およびその着信通知方法の幾つかの実施の形態について詳述した。しかし、斯かる実施の形態又は具体例は、本発明の単なる例示に過ぎず、何ら本発明を限定するものではないことに留意されたい。本発明の要旨や精神を逸脱することなく、特定用途に応じて種々の変形変更が可能であること、当業者は容易に理解できよう。
【図面の簡単な説明】
【００３９】
【図１】本発明による携帯端末装置の好適実施の形態である携帯電話端末の構成を示す機能ブロック図である。
【図２】図１に示す携帯端末装置による着信動作の全体を示すフローチャートである。
【図３】図２中のメール着信動作の詳細を示すフローチャートである。
【図４】本発明による着信通知方法におけるキーワードと着信動作の第１設定例の説明図である。
【図５】本発明による着信通知方法における発信者別着信音設定例の説明図である。
【図６】本発明による着信通知方法の他の実施の形態を示すフローチャートである。
【図７】本発明による着信通知方法におけるバイブレータ駆動波形を示し、（Ａ）は緊急メール着信時のパターン１、（Ｂ）は通知メール着信時のパターン２、（Ｃ）は依頼メール着信時のパターン３である。
【図８】本発明による着信通知方法の他の実施の形態におけるキーワードと着信動作の説明図である。
【符号の説明】
【００４０】
４１、８１  優先順位
４２、８２  キーワード
４３、８３  発信者（又は電話番号）
４４、８４  着信音設定
４５  バイブレータ動作設定
４６、８５  強制着信音鳴動フラグ設定
１００  携帯端末装置（携帯電話端末）
１０３  制御部
１１２  記憶部
１１４  タイマ
【図１】
2008217731.tif 000003
【図２】
2008217731.tif 000004
【図３】
2008217731.tif 000005
【図４】
2008217731.tif 000006
【図５】
2008217731.tif 000007
【図６】
2008217731.tif 000008
【図７】
2008217731.tif 000009
【図８】
2008217731.tif 000010